(57)【要約】【課題】複数の言語ＯＳＤデータを搭載した画像表示装置の異常発生時に、異常発生メッセージが複数の言語を切り替えながら表示されるようにする。【解決手段】制御手段２０は、異常検知手段４０により、異常が発生したことを検知した場合に、異常時言語設定情報２１２に格納された複数の言語設定情報に基づき、第１の時間の経過ごとに言語を切り替えながら、異常を通知する異常発生メッセージを表示手段（画像投写手段１０）により表示する【選択図】図１
2013109261.tif 000002
【特許請求の範囲】
【請求項１】
入力する画像情報に応じた画像を表示手段に表示する画像表示装置であって、
複数の、言語ごとのＯＳＤデータからなるＯＳＤデータ群と、前記ＯＳＤデータ群のうち、通常使用する言語を示す通常時言語設定情報、及び異常発生時に使用する複数の言語を示す異常時言語設定情報を格納する記憶手段と、
前記ＯＳＤデータ群のうち、表示するＯＳＤデータの言語を設定する、言語設定手段と、
当該画像表示装置の異常が発生したことを検知する異常検知手段と、
前記異常検知手段により、前記異常が発生したことを検知した場合に、前記異常を通知する異常発生メッセージを前記表示手段に表示する制御手段と、
を備え、
前記制御手段は、前記異常時言語設定情報に格納された複数の言語設定情報に基づき、第１の時間の経過ごとに切替処理により前記言語を切り替える、
ことを特徴とする、画像表示装置。
【請求項２】
請求項１に記載の画像表示装置であって、
入力操作を受け付ける入力操作手段をさらに備え、
前記制御手段は、前記異常発生メッセージの表示中に前記入力操作手段により、所定の切替操作を受け付けた場合、前記第１の時間の経過ごとに行う前記切替処理に代えて、前記切替操作によって前記言語を切り替える、
ことを特徴とする、画像表示装置。
【請求項３】
請求項１または２に記載の画像表示装置であって、
前記記憶手段は、前記異常検知手段によって前記異常が検知された場合にセットされる異常検知フラグをさらに備え、
前記制御手段は、前記異常発生メッセージを表示している状態において、
（１）所定の電源オフ操作を受け付けた時に前記異常検知フラグをクリアし、
（２）第２の時間が経過した場合に当該画像表示装置の電源をオフし、
前記制御手段は、当該画像表示装置が電源をオンされたたときに、前記異常検知フラグがセットされていた場合、前記異常発生メッセージを、前記言語を切り替えながら前記表示手段に表示する、
ことを特徴とする、画像表示装置。
【請求項４】
入力する画像情報に応じた画像を表示する表示手段と、
複数の言語ごとのＯＳＤデータ群と、前記ＯＳＤデータ群のうち、通常使用する言語を示す通常時言語設定情報、及び異常発生時に使用する複数の言語を示す異常時言語設定情報を格納する記憶手段と、
を備えた画像表示装置の制御方法であって、
前記ＯＳＤデータ群のうち、表示するＯＳＤデータの言語を設定する、言語設定ステップと、
当該画像表示装置の異常が発生したことを検知する異常検知ステップと、
前記異常検知ステップにより、前記異常が発生したことを検知した場合に、前記異常を通知する異常発生メッセージを前記表示手段に表示する異常表示ステップと、
前記異常表示ステップにより、前記異常発生メッセージが表示される際に、前記異常時言語設定情報に格納された複数の言語設定情報に基づき、第１の時間が経過するごとに前記言語を切り替える言語切替ステップと、
を有することを特徴とする、画像表示装置の制御方法。
【発明の詳細な説明】
【技術分野】
【０００１】
本発明は、画像表示装置、及び画像表示装置の制御方法に関する。
【背景技術】
【０００２】
画像表示装置（例えば、プロジェクター）において、複数言語のＯＳＤ（オンスクリーンディスプレイ）データを搭載し、多くの国や地域で使用できるようにしたものが知られている。
このような画像表示装置では、ＯＳＤデータの言語はメニュー操作で切り替えるのが一般的であり、通常、初回使用時に使用する言語を設定してしまえば、以後、他の言語のＯＳＤデータを使うことはほとんどない。
しかし、複数の国籍の人が働くような職場においては、必ずしも全ての人が表示される言語（ＯＳＤ言語）を理解できるとはいえない。通常通り動作しているときは問題なくても、なんらかの異常が発生し、対処についての詳細メッセージが表示された場合、表示された言語を理解できる人がその場にいなければ、すぐに対処できない虞があった。
このように画像表示装置に異常が発生した場合、メニュー操作でＯＳＤ言語を切り替えようとしても、電源オフ操作以外の操作が制限されることがあり、別の言語で異常状態のメッセージを確認することができなかった。
特許文献１には音声を使ってＯＳＤ言語を切り替える方法が開示されている。このような装置を使えば、音声入力でＯＳＤ言語を切り替えることができる。
【先行技術文献】
【特許文献】
【０００３】
【特許文献１】特開２００３−４６６１２号公報
【発明の概要】
【発明が解決しようとする課題】
【０００４】
しかし音声入力によるＯＤＳ言語の切り替えでは、周囲の騒音や発音の仕方により、入力した音声が正しく認識されず、異常状態に直ちに対処することができない虞があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、入力する画像情報に応じた画像を表示手段に表示する画像表示装置であって、複数の言語ごとのＯＳＤデータ群と、前記ＯＳＤデータ群のうち、通常使用する言語を示す通常時言語設定情報、及び異常発生時に使用する複数の言語を示す異常時言語設定情報とを格納する記憶手段と、前記ＯＳＤデータ群のうち、表示するＯＳＤデータの言語を設定する、言語設定手段と、当該画像表示装置の異常が発生したことを検知する異常検知手段と、前記異常検知手段により、前記異常が発生したことを検知した場合に、前記異常を通知する異常発生メッセージを前記表示手段に表示する制御手段と、を備え、前記制御手段は、前記異常時言語設定情報に格納された複数の言語設定情報に基づき、第１の時間経過ごとに前記言語を切り替える、ことを特徴とする。
【０００７】
本適用例によれば、画像表示装置に異常が発生した場合、異常時言語設定情報に予め格納された複数の言語設定情報に基づき、第１の時間の経過ごとに切換処理により異常発生メッセージの言語を切り替えるので、いずれかの言語を理解できる人が異常発生メッセージを見れば、異常発生の内容を理解でき、発生した異常に対処することが可能となる。
【０００８】
［適用例２］上記適用例に記載の画像表示装置において、入力操作を受け付ける入力操作手段をさらに備え、前記制御手段は、前記異常発生メッセージ表示中に前記入力操作手段により、所定の切替操作を受け付けた場合、前記第１の時間経過ごとの前記切替処理に代えて、前記切替操作によって前記言語を切り替える、ことを特徴とする。
【０００９】
本適用例によれば、画像表示装置に異常が発生し、第１の時間の経過ごとに異常発生メッセージの言語を切り替えて表示しているときに、所定の切替操作を受け付けることにより、第１の時間の経過ごとに行う言語の切替処理に代えて、切替操作によって言語を切り替える。これにより、切替操作を受け付けるたびに異常発生メッセージの言語を切り替えるので、第１の時間を経過しても他の言語に切り替わることがなく、異常発生メッセージが、理解できる言語で表示された状態に留めることが可能となる。
【００１０】
［適用例３］上記適用例に記載の画像表示装置において、前記記憶手段は、前記異常検知手段によって前記異常が検知された場合にセットされる異常検知フラグをさらに備え、前記制御手段は、前記異常発生メッセージ表示している状態において、（１）所定の電源オフ操作を受け付けた時に前記異常検知フラグをクリアし、（２）第２の時間が経過した場合に当該画像表示装置の電源をオフし、前記制御手段は、当該画像表示装置が電源オンしたときに、前記異常検知フラグがセットされていた場合、前記異常発生メッセージを前記言語を切り替えながら前記表示手段に表示する、ことを特徴とする。
【００１１】
本適用例によれば、画像表示装置は、異常発生メッセージを表示している状態において、異常発生状態が第２の時間を経過して、電源がオフされた場合、次回起動時に異常検知フラグがセットされていれば、異常が発生していたことを検知し、最後に発生した異常についての異常発生メッセージを、言語を切り替えながら表示する。これにより、異常が発生したときに認知されず、異常発生を知らずに電源が遮断されたような場合でも、次回起動時には異常発生メッセージをいずれかの言語により表示し、発生した異常を理解することが可能となる。
【００１２】
［適用例４］本適用例に係る画像表示装置の制御方法は、入力する画像情報に応じた画像を表示する表示手段と、複数の言語ごとのＯＳＤデータ群と、前記ＯＳＤデータ群のうち、通常使用する言語を示す通常時言語設定情報、及び異常発生時に使用する複数の言語を示す異常時言語設定情報とを格納する記憶手段と、を備えた画像表示装置の制御方法であって、前記ＯＳＤデータ群のうち、表示するＯＳＤデータの言語を設定する、言語設定ステップと、当該画像表示装置の異常が発生したことを検知する異常検知ステップと、前記異常検知ステップにより、前記異常が発生したことを検知した場合に、前記異常を通知する異常発生メッセージを前記表示手段に表示する異常表示ステップと、前記異常表示ステップにより、前記異常発生メッセージが表示される際に、前記異常時言語設定情報に格納された複数の言語設定情報に基づき、第１の時間経過ごとに前記言語を切り替える言語切替ステップと、を有することを特徴とする。
【００１３】
本適用例によれば、画像表示装置に異常が発生した場合、異常時言語設定情報に予め格納された複数の言語設定情報に基づき、第１の時間の経過ごとに切換処理により異常発生メッセージの言語を切り替えるので、いずれかの言語を理解できる人が異常発生メッセージを見れば、異常発生の内容を理解でき、発生した異常に対処することが可能となる。
【図面の簡単な説明】
【００１４】
【図１】プロジェクターの回路構成を示すブロック図。
【図２】言語設定メニューを示す図。
【図３】プロジェクター動作中に、異常発生が検知された時の画面遷移を示す図。（ａ）は日本語、（ｂ）は英語、（ｃ）は中国語での異常発生メッセージを示す。
【図４】プロジェクター起動時に、前回使用時の異常発生が検知された時の画面遷移を示す図。（ａ）は日本語、（ｂ）は英語、（ｃ）は中国語での異常発生メッセージを示す。
【図５】プロジェクターが投写中に異常発生を検知したときの動作を示すフローチャート。
【図６】プロジェクターがスタンバイ中に電源オン操作を検出したときの動作を示すフローチャート。
【発明を実施するための形態】
【００１５】
以下、添付図面を参照して本発明の一実施形態であるプロジェクターについて説明する。しかし、以下の実施形態は特許請求の範囲にかかる発明を限定するものではなく、また、実施形態における特徴の組み合わせの全てが発明の解決手段に必須であるとは限らない。
【００１６】
（第１実施形態）
図１は、本実施形態のプロジェクターの回路構成を示すブロック図である。
図１に示すように、プロジェクター１は、画像投写手段１０、ＯＳＤ処理手段１６、画像信号処理手段１７、画像信号入力手段１８、制御手段２０、記憶手段２１、入力操作手段２３、光源制御手段２５、電源部３１、異常検知手段４０等で構成されており、これらは図示しない筐体の内部に収容されている。
【００１７】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーンＳＣ等に画像を表示する。画像投写手段１０が表示手段に相当する。
【００１８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００１９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２０】
本実施形態では、光源１１として光源ランプ１１ａを用いて投写するプロジェクター１を例示したが、本発明は、光源としてＬＥＤ（Light emitting diode）光源やレーザー光源などを用いて投写するプロジェクターにも適用することができる。なお、本実施形態では、画像投写手段１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２１】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は、時間を計時する第１タイマー２０１、第２タイマー２０２と、後述する記憶手段２１のＯＳＤ画像データ２１０のうち、いずれの言語を使用するかを設定する言語設定手段２０３とを備える。
【００２２】
記憶手段２１は、フラッシュメモリーやＦｅＲＡＭ（Ferroelectric RAM：強誘電体メモリー）等の書き換え可能な不揮発性のメモリーにより構成されている。プロジェクター１の動作を制御するための制御プログラムや、プロジェクター１の動作条件等を規定する各種設定データ、メニュー画像やメッセージ画像を表示するためのＯＳＤ画像データ２１０等が記憶されている。
本実施形態では、ＯＳＤ画像データ２１０の他に、通常動作時の言語を示す通常時言語設定情報２１１、異常発生時に表示する複数の言語を示す異常時言語設定情報２１２と、プロジェクター１に異常が発生したことを示す異常検知フラグ２１３が保存される。
【００２３】
入力操作手段２３は、プロジェクター１が、ユーザーからの入力操作を受け付けるものである。入力操作手段２３は、図示は省略するが、ユーザーがプロジェクター１に対して各種指示を行うための複数の操作キーを備えており、プロジェクター１の筐体外面に備えられる本体キー、または遠隔操作で入力操作を行うリモートコントローラー（リモコン）で構成される。
入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー等がある。
【００２４】
ユーザーが入力操作手段２３の各種操作キーを操作すると、入力操作手段２３は、ユーザーの操作内容に応じた操作信号を制御手段２０に出力する。リモートコントローラーは、ユーザーの操作内容に応じた赤外線等の操作信号を発し、リモコン信号受信手段がこれを受信して制御情報として制御手段２０に伝達する。
【００２５】
画像信号入力手段１８は、複数の画像入力端子を備えており、各画像入力端子より、ビデオ再生装置やパーソナルコンピューター等、外部の画像出力装置から、図示しないケーブルを介して画像情報が入力される。また、画像信号入力手段１８は、図示しない無線信号受信手段を備え、無線信号受信手段を介して外部機器と無線通信（電波通信、光無線通信など）することによって画像情報を入力する構成としてもよい。
【００２６】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００２７】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、ＯＳＤ画像を形成するための図形やフォント等を表すＯＳＤ画像情報（ＯＳＤデータ）を、ＯＳＤデータ群としてのＯＳＤ画像データ２１０から選択する。
制御手段２０が、ＯＳＤ画像の重畳表示を指示すると、ＯＳＤ処理手段１６は、必要なＯＳＤ画像情報をＯＳＤ画像データ２１０から読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００２８】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００２９】
光源制御手段２５は、制御手段２０の指示に基づいて、光源１１に対する電力の供給と停止とを制御し、光源１１の点灯、及び消灯を切り替える。
【００３０】
電源部３１には、電源端子３０を介してＡＣ１００Ｖ等の電力が外部から供給される。電源部３１は、供給された電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３１】
異常検知手段４０は、プロジェクター１に異常が発生したことを検知し、その検知結果を制御手段２０に出力する。
【００３２】
図２は本実施形態のプロジェクター１のＯＳＤ言語設定メニュー画面の一例を示す図である。
図２では、通常時（通常動作時）は日本語で、異常時（異常発生時）は、日本語、英語（Ｅｎｇｌｉｓｈ）、中国語（中文）の言語によってＯＳＤが表示されるように設定されており、異常発生時には３つの言語が２秒ごとに切り替わるように設定されている。これらの設定情報は通常時言語設定情報２１１、及び異常時言語設定情報２１２に保存される。
【００３３】
次に、本実施形態のプロジェクター１の画面遷移の一例を図３、及び図４を用いて説明する。なお、図３、及び図４では図２で示した言語設定がなされているものとする。
図３はプロジェクター１が動作中に異常検知手段４０によって異常な温度上昇が検知されたときの画面遷移を示す図である。異常が検知されると、異常時言語設定情報２１２に保存された表示言語の順に異常発生メッセージが表示される。
【００３４】
図３では異常時言語設定情報２１２に保存された設定により、まず（ａ）に示すように１番目に設定されている日本語で異常発生メッセージが表示される。（ａ）のメッセージを表示し２秒経過すると、（ｂ）に遷移し、２番目に設定されている英語により異常発生メッセージが表示される。さらに（ｂ）のメッセージを表示し２秒経過すると、（ｃ）に遷移し、３番目に設定されている中国語により異常発生メッセージが表示される。さらに（ｃ）のメッセージを表示し２秒経過すると、１番目の（ａ）に遷移し、以降繰り返す。
【００３５】
図４はプロジェクター１が起動時に、異常検知フラグ２１３によって、前回使用時に異常が発生していたことを検知した場合の画面遷移を示す図である。起動時に異常検知フラグ２１３がセットされていた場合、異常時言語設定情報２１２に保存された表示言語の順に異常発生メッセージが表示される。
【００３６】
図４では異常時言語設定情報２１２に保存された設定により、まず（ａ）に示すように１番目に設定されている日本語で異常発生メッセージが表示される。（ａ）のメッセージを表示し２秒経過すると、（ｂ）に遷移し、２番目に設定されている英語により異常発生メッセージが表示される。さらに（ｂ）のメッセージを表示し２秒経過すると、（ｃ）に遷移し、３番目に設定されている中国語により異常発生メッセージが表示される。さらに（ｃ）のメッセージを表示し２秒経過すると、１番目の（ａ）に遷移し、以降繰り返す。
なお、図４（ｂ）、図４（ｃ）では異常発生メッセージの最初の行が日本語になっているが、実際にはそれぞれ、英語、中国語で表示される。また、図３、及び図４では発生した異常の種類（警告の種類）と簡単なチェック項目のみ表示しているが、実際には発生した異常への対処方法を示す詳細な文章や、チェックする箇所を示すイラストなどが表示されることが好ましい。
【００３７】
次に、本実施形態のプロジェクター１の動作を図５、及び図６のフローチャートを用いて説明する。
【００３８】
（投写中に異常を検知した場合の動作）
図５に示すように、プロジェクター１が投写中に、異常検知手段４０により異常発生が検知されると（ステップＳ１０１）、制御手段２０は異常検知フラグ２１３をセットし（ステップＳ１０２）、ステップＳ１０３に遷移する。
【００３９】
ステップＳ１０３において制御手段２０は、第２タイマー２０２による計時をスタートし、ステップＳ１０５に遷移する。
【００４０】
ステップＳ１０５において言語設定手段２０３は、異常時言語設定情報２１２の１番目の言語（図２の例では日本語）に設定し、ステップＳ１０６に遷移する。
【００４１】
ステップＳ１０６において制御手段２０は、画像投写手段１０から異常が発生したことを示す異常発生メッセージを投写し、ステップＳ１０７に遷移する。このときの異常発生メッセージを図３に示す。
【００４２】
ステップＳ１０７において制御手段２０は、第１タイマー２０１による計時をスタートし、ステップＳ１０８に遷移する。
【００４３】
ステップＳ１０８において制御手段２０は、入力操作手段２３より電源オフ操作を検出したか否かを調べる。電源オフ操作を検出した場合（ステップＳ１０８：Ｙ）、ステップＳ１１４に遷移する。電源オフ操作を検出していない場合（ステップＳ１０８：Ｎ）、ステップＳ１０９に遷移する。
【００４４】
ステップＳ１０９において制御手段２０は、第２タイマー２０２が時間Ｔ２（例えば３０秒）を経過したか否かを調べる。第２タイマー２０２が時間Ｔ２を経過した場合（ステップＳ１０９：Ｙ）、ステップＳ１１５に遷移する。第２タイマー２０２が時間Ｔ２を経過していない場合（ステップＳ１０９：Ｎ）、ステップＳ１１０に遷移する。
【００４５】
ステップＳ１１０において制御手段２０は、入力操作手段２３より所定の切替操作（例えばカーソルキー）を検出したか否かを調べる。切替操作を検出した場合（ステップＳ１１０：Ｙ）、ステップＳ１１２に遷移する。切替操作を検出していない場合（ステップＳ１１０：Ｎ）、ステップＳ１１１に遷移する。
【００４６】
ステップＳ１１１において制御手段２０は、第１タイマー２０１が第１の時間としての時間Ｔ１（例えば２秒）を経過したか否かを調べる。第１タイマー２０１が時間Ｔ１を経過した場合（ステップＳ１１１：Ｙ）、ステップＳ１１３に遷移する。第１タイマー２０１が時間Ｔ１を経過していない場合（ステップＳ１１１：Ｎ）、ステップＳ１０８に遷移する。
【００４７】
ステップＳ１１２において制御手段２０は、第１タイマー２０１、及び第２タイマー２０２による計時を停止し、ステップＳ１１３に遷移する。
【００４８】
ステップＳ１１３において言語設定手段２０３は、異常時言語設定情報２１２の次の言語に切り替えて設定し、ステップＳ１０６に遷移する。なお、図２では異常時の言語は３種なので、３番目の中国語を表示していた場合は１番目の日本語に戻る。
【００４９】
ステップＳ１１４において制御手段２０は、異常検知フラグ２１３をクリアし、ステップＳ１１５に遷移する。
【００５０】
ステップＳ１１５において制御手段２０は、光源制御手段２５により、光源１１を消灯し、ステップＳ１１６に遷移する。
【００５１】
ステップＳ１１６において制御手段２０は、プロジェクター１をスタンバイ状態に移行させ、本動作フローを終了する。
【００５２】
（スタンバイ中に電源オン操作を検出したときの動作）
図６に示すように、プロジェクター１がスタンバイ中に、入力操作手段２３の電源キー入力などによる電源オン操作を検出すると（ステップＳ２０１）、言語設定手段２０３は通常時言語設定情報２１１に保存された言語に設定し（ステップＳ２０２）、ステップＳ２０３に遷移する。
【００５３】
ステップＳ２０３において制御手段２０は、異常検知フラグ２１３がセットされているか否かを調べる。異常検知フラグ２１３がセットされている場合（ステップＳ２０３：Ｙ）、ステップＳ２０５に遷移する。異常検知フラグ２１３がセットされていない場合、即ちクリアされている場合（ステップＳ２０３：Ｎ）、ステップＳ２１７に遷移する。
【００５４】
ステップＳ２０５において言語設定手段２０３は、異常時言語設定情報２１２の１番目の言語（図２では日本語）に設定し、ステップＳ２０６に遷移する。
【００５５】
ステップＳ２０６において制御手段２０は、画像投写手段１０より前回使用時に異常が発生していたことを示す異常発生メッセージを投写し、ステップＳ２０７に遷移する。このときの異常発生メッセージを図４に示す。
【００５６】
ステップＳ２０７において制御手段２０は、第１タイマー２０１による計時をスタートし、ステップＳ２０８に遷移する。
【００５７】
ステップＳ２０８において制御手段２０は、入力操作手段２３より所定の確認操作（例えば決定キー）を検出したか否かを調べる。確認操作を検出した場合（ステップＳ２０８：Ｙ）、ステップＳ２１３に遷移する。確認操作を検出していない場合（ステップＳ２０８：Ｎ）、ステップＳ２０９に遷移する。
【００５８】
ステップＳ２０９において制御手段２０は、入力操作手段２３より所定の切替操作（例えばカーソルキー）を検出したか否かを調べる。切替操作を検出した場合（ステップＳ２０９：Ｙ）、ステップＳ２１０に遷移する。切替操作を検出していない場合（ステップＳ２０９：Ｎ）、ステップＳ２１１に遷移する。
【００５９】
ステップＳ２１０において制御手段２０は、第１タイマー２０１による計時を停止し、ステップＳ２１２に遷移する。
【００６０】
ステップＳ２１１において制御手段２０は、第１タイマー２０１が時間Ｔ１（例えば２秒）を経過したか否かを調べる。第１タイマー２０１が時間Ｔ１を経過した場合（ステップＳ２１１：Ｙ）、ステップＳ２１２に遷移する。第１タイマー２０１が時間Ｔ１を経過していない場合（ステップＳ２１１：Ｎ）、ステップＳ２０８に遷移する。
【００６１】
ステップＳ２１２において制御手段２０は、異常時言語設定情報２１２の次の言語に切り替えて設定し、ステップＳ２０６に遷移する。なお、図２では異常時の言語は３種なので、３番目の中国語を表示していた場合は１番目の日本語に戻る。
【００６２】
ステップＳ２１３において言語設定手段２０３は、通常動作時に設定される通常時言語設定情報２１１の言語に設定し、ステップＳ２１４に遷移する。
【００６３】
ステップＳ２１４において制御手段２０は、画像投写手段１０により投写されていた異常発生メッセージを消去（投写中止）し、ステップＳ２１５に遷移する。
【００６４】
ステップＳ２１５において制御手段２０は、異常検知フラグ２１３をクリアし、ステップＳ２１６に遷移する。
【００６５】
ステップＳ２１６において制御手段２０は、第１タイマー２０１による計時を停止し、ステップＳ２１７に遷移する。
【００６６】
ステップＳ２１７において制御手段２０は、画像信号入力手段１８に入力される画像信号に基づく画像データを画像投写手段１０より投写開始し、プロジェクター１を通常動作状態に移行する。
【００６７】
以上説明したように、本実施形態のプロジェクター１によれば、プロジェクター１に異常が発生した場合、異常時言語設定情報２１２に予め格納された複数の言語設定情報に基づき、時間Ｔ１の経過ごとに切換処理により異常発生メッセージの言語を切り替えるので、いずれかの言語を理解できる人が異常発生メッセージを見れば、異常発生の内容を理解でき、発生した異常に対処することが可能となる。
【００６８】
また、プロジェクター１に異常が発生し、時間Ｔ１の経過ごとに異常発生メッセージの言語を切り替えて表示しているときに、所定の切替操作を受け付けることにより、時間Ｔ１の経過ごとに行う言語の切替処理に代えて、切替操作によって言語を切り替える。これにより、切替操作を受け付けるたびに異常発生メッセージの言語を切り替えるので、時間Ｔ１を経過しても他の言語に切り替わることがなく、異常発生メッセージが、理解できる言語で表示された状態に留めることが可能となる。
【００６９】
また、プロジェクター１は、異常発生メッセージを表示している状態において、異常発生状後が時間Ｔ２を経過して、電源がオフされた場合、次回起動時に、異常検知フラグ２１３がセットされていれば、異常が発生していたことを検知し、最後に発生した異常についての異常発生メッセージを、言語を切り替えながら表示する。これにより、異常が発生したときに認知されず、異常発生を知らずに電源が遮断されたような場合でも、次回起動時には異常発生メッセージをいずれかの言語により表示し、発生した異常を理解することが可能となる。
【００７０】
また、上記実施形態は、以下のように変更してもよい。
（変形例１）
上記実施形態では、異常発生時に、予め設定された複数の言語を切替ながら、異常発生メッセージを表示するようにしているが、各メッセージに対応した音声ガイダンスデータを備え、メッセージと同時に出力するようにしてもよい。これにより、異常発生時に表示手段が正しく表示できない状態でも、いずれかの言語の音声により、異常発生を確認させることが可能となる。
【符号の説明】
【００７１】
１…プロジェクター、１０…画像投写手段、１１…光源、１２Ｒ、１２Ｇ、１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２０１…第１タイマー、２０２…第２タイマー、２１…記憶手段、２１０…ＯＳＤ画像データ、２１１…通常時言語設定情報、２１２…異常時言語設定情報、２１３…異常検知フラグ、２３…入力操作手段、２５…光源制御手段、３０…電源端子、３１…電源部、４０…異常検知手段。
【図１】
2013109261.tif 000003
【図２】
2013109261.tif 000004
【図３】
2013109261.tif 000005
【図４】
2013109261.tif 000006
【図５】
2013109261.tif 000007
【図６】
2013109261.tif 000008